(57)【特許請求の範囲】
【請求項１】
路側または施設に設置された料金決済機器との間で無線通信により料金の収受を行う無線料金決済システムに用いられ、料金決済のための情報が記憶されたカードが挿入される無線料金決済システム用車載器であって、
カード情報と警告設定との間の対応関係を記憶する記憶部と、
挿入されているカードからカード情報を読み出す読み出し部と、
前記車両の電源ポジションがオフになったときに前記カードが挿入状態である場合、前記読み出し部が読み出したカード情報および前記記憶部に記憶されている対応関係に基づいて定まる警告処理を行なう警告処理部と、
前記記憶部に記憶されている対応関係を、ユーザが行う対応関係設定操作に基づいて設定する対応関係設定部とを備え、
前記記憶部に記憶されている対応関係が、カード毎の識別符号と警告設定との対応関係であり、
前記対応関係設定部は、カードの挿入時に読み出し部によって読み出されたカード情報に対する対応関係が前記記憶部に記憶されていない場合、予め定められた初期警告設定をそのカード情報に対して行い、
前記初期警告設定が、クレジット機能付カードに対しては警告を行うが、クレジット機能なしカードに対しては警告を行わないという設定であることを特徴とする無線料金決済システム用車載器。
【請求項２】
路側または施設に設置された料金決済機器との間で無線通信により料金の収受を行う無線料金決済システムに用いられ、料金決済のための情報が記憶されたカードが挿入される無線料金決済システム用車載器であって、
カード情報と警告設定との間の対応関係を記憶する記憶部と、
挿入されているカードからカード情報を読み出す読み出し部と、
前記車両の電源ポジションがオフになったときに前記カードが挿入状態である場合、前記読み出し部が読み出したカード情報および前記記憶部に記憶されている対応関係に基づいて定まる警告処理を行なう警告処理部と、
前記記憶部に記憶されている対応関係を、ユーザが行う対応関係設定操作に基づいて設定する対応関係設定部とを備え、
前記記憶部に記憶されている対応関係が、カード毎の識別符号と警告設定との対応関係であり、
前記警告処理部は、前記車両の電源ポジションがオフになったときに前記カードが挿入状態である場合であって、前記読み出し部が読み出したカード情報に対応する警告設定が前記記憶部に記憶されていない場合には、予め設定された初期設定の警告処理を行ない、
前記初期設定が、クレジット機能付カードに対しては警告を行うが、クレジット機能なしカードに対しては警告を行わないという設定であることを特徴とする無線料金決済システム用車載器。
【請求項３】
路側または施設に設置された料金決済機器との間で無線通信により料金の収受を行う無線料金決済システムに用いられ、料金決済のための情報が記憶されたカードが挿入される無線料金決済システム用車載器であって、
カード情報と警告設定との間の対応関係を記憶する記憶部と、
挿入されているカードからカード情報を読み出す読み出し部と、
前記車両の電源ポジションがオフになったときに前記カードが挿入状態である場合、前記読み出し部が読み出したカード情報および前記記憶部に記憶されている対応関係に基づいて定まる警告処理を行なう警告処理部とを備え、
前記記憶部に記憶されている対応関係は、クレジット機能付であるかクレジット機能なしであるかを示すカード種類情報と警告設定との対応関係であることを特徴とする無線料金決済システム用車載器。
【請求項４】
請求項１または２において、
前記対応関係設定部は、カードの挿入時に読み出し部によって読み出されたカード情報に対する対応関係が前記記憶部に記憶されていない場合、そのカード情報に対する対応関係を設定することをユーザに求める報知を行い、その後にユーザが行う対応関係設定操作に基づいて、そのカード情報に対する対応関係を設定することを特徴とする無線料金決済システム用車載器。
【請求項５】
請求項１、２、４のいずれか１項において、
前記対応関係設定部は、カード挿入状態においてユーザによって設定開始操作が行われた後に、前記ユーザによって行われる対応関係設定操作に基づいて前記対応関係を設定することを特徴とする無線料金決済システム用車載器。
【発明の詳細な説明】
【技術分野】
【０００１】
本発明は、無線料金決済システム用車載器に関し、特に、車両の電源ポジションがＯＦＦになったときにカード抜き忘れに関する警告を行う機能を備えたものに関する。
【背景技術】
【０００２】
路側または施設に設置された料金決済機器と車載器との間で無線通信を行って料金決済を行うする無線料金決済システムが知られている。この無線料金決済システムとして、たとえば、自動料金収受システムが広く知られている。
【０００３】
自動料金収受システムは、有料道路の料金所を車両が通過する際に車両と料金所に設置された料金所側機器との間で無線通信により料金の収受を行うシステムである。この自動料金収受システムは、ＥＴＣ（Electronic Toll Collection）システムと呼ばれることが一般的であるので、本明細書でもＥＴＣシステムとの名称で呼ぶこともある。なお、ＥＴＣは登録商標である。
【０００４】
このＥＴＣシステムに用いられる車載器（以下、ＥＴＣ車載器ともいう）には、有料道路の通行料金決済のための情報が記憶されたカード（以下、ＥＴＣカードともいう）が挿入される。ＥＴＣカードがＥＴＣ車載器に挿入されたままであると、ＥＴＣカードの盗難の恐れがある。そこで、電源が切断されるときにＥＴＣカードが抜かれていないことを検知すると、その旨を警告する機能を備えた車載器が提案されている（たとえば、特許文献１）。
【０００５】
また、電源ＯＦＦ時にカードが挿入されたままである場合に警告を行うか、或いは、警告を行わないかを切り替える機能を備えたＥＴＣ車載器も市販されている。
【先行技術文献】
【特許文献】
【０００６】
【特許文献１】特開２００１−１４５００号公報
【発明の概要】
【発明が解決しようとする課題】
【０００７】
ＥＴＣカードは、他人の車両に搭載されたＥＴＣ車載器でも利用可能である。そのため、同じＥＴＣ車載器であっても、ＥＴＣ車載器が搭載された車両の所有者以外が所有するＥＴＣカードが挿入されることもある。また、ＥＴＣカードには、有料道路決済専用のカード（ＥＴＣ専用カード）と、有料道路以外でも料金決済に利用可能な機能を備えたＥＴＣカード、すなわち、クレジット機能付のＥＴＣカードとがある。そのため、同じＥＴＣ車載器であっても、異なる種類のＥＴＣカードが挿入されることもある。
【０００８】
これらのことから、ＥＴＣカードによって警告設定を異ならせたいというユーザニーズが考えられる。たとえば、ＥＴＣ専用カードについては警告しない設定にしたいが、クレジット機能付のＥＴＣカードについては警告するように設定したいというニーズが考えられる。また、自分が所有しているＥＴＣカードは警告ＯＦＦにしたいが、他人に一時的に借りたＥＴＣカードについては警告ＯＮにしたいというニーズも考えられる。
【０００９】
しかし、従来のＥＴＣ車載器は、どのカードが挿入されているかによらず、抜き忘れに関する警告を行う、あるいは、行わないという設定の切替ができるにすぎない。そのため、ユーザのニーズに対応した警告処理ができないという問題があった。なお、仮に、従来のＥＴＣ車載器においてカード毎に警告するかしないかを異ならせようとすれば、異なるカードを挿入する毎に設定をし直す必要があり非常に面倒である。
【００１０】
無線料金決済システムとしては、上記ＥＴＣシステム以外に、駐車場、ガソリンスタンド等の種々施設や、有料道路の料金所以外の路側等で料金決済を行うシステムが知られており、ＥＴＣシステム以外の無線料金決済システムにおいては、主にクレジットカードを利用して料金決済を行なうことになる。
【００１１】
また、ＥＴＣシステム以外の無線料金決済システムにおける車載器も、ＥＴＣシステム用車載器と同様、ＤＳＲＣ(Dedicated Short Range Communication 専用狭域通信) 規格が用いられる。そのため、１つの車載器をＥＴＣシステム用およびそれ以外の無線料金決済システム用の両方に用いることも可能である。
【００１２】
ＥＴＣシステムにも、また、それ以外の無線料金決済システムにも利用可能な車載器（以下、単に、無線料金決済システム用車載器）の場合には、ＥＴＣシステム用車載器よりも種々のカードが挿入されることから、カードによって警告設定を異ならせたいというユーザニーズは、ＥＴＣシステム用車載器よりも、より大きいと考えられる。
【００１３】
本発明は、この事情に基づいて成されたものであり、その目的とするところは、設定の手間を少なくしつつ、種々のユーザのニーズに対応した警告処理を行なうことができる無線料金決済システム用車載器を提供することにある。
【課題を解決するための手段】
【００１４】
その目的を達成するための請求項１記載の発明は、路側または施設に設置された料金決済機器との間で無線通信により料金の収受を行う無線料金決済システムに用いられ、料金決済のための情報が記憶されたカードが挿入される無線料金決済システム用車載器であって、カード情報と警告設定との間の対応関係を記憶する記憶部と、挿入されているカードからカード情報を読み出す読み出し部と、車両の電源ポジションがＯＦＦになったときにカードが挿入状態である場合、読み出し部が読み出したカード情報および記憶部に記憶されている対応関係に基づいて定まる警告処理を行なう警告処理部と、記憶部に記憶されている対応関係を、ユーザが行う対応関係設定操作に基づいて設定する対応関係設定部とを備え、記憶部に記憶されている対応関係が、カード毎の識別符号と警告設定との対応関係であり、対応関係設定部は、カードの挿入時に読み出し部によって読み出されたカード情報に対する対応関係が記憶部に記憶されていない場合、予め定められた初期警告設定をそのカード情報に対して行い、初期警告設定が、クレジット機能付カードに対しては警告を行うが、クレジット機能なしカードに対しては警告を行わないという設定であることを特徴とする。
また、上記目的を達成するための請求項２記載の発明は、路側または施設に設置された料金決済機器との間で無線通信により料金の収受を行う無線料金決済システムに用いられ、料金決済のための情報が記憶されたカードが挿入される無線料金決済システム用車載器であって、カード情報と警告設定との間の対応関係を記憶する記憶部と、挿入されているカードからカード情報を読み出す読み出し部と、車両の電源ポジションがオフになったときにカードが挿入状態である場合、読み出し部が読み出したカード情報および記憶部に記憶されている対応関係に基づいて定まる警告処理を行なう警告処理部と、記憶部に記憶されている対応関係を、ユーザが行う対応関係設定操作に基づいて設定する対応関係設定部とを備え、記憶部に記憶されている対応関係が、カード毎の識別符号と警告設定との対応関係であり、警告処理部は、車両の電源ポジションがオフになったときにカードが挿入状態である場合であって、読み出し部が読み出したカード情報に対応する警告設定が記憶部に記憶されていない場合には、予め設定された初期設定の警告処理を行ない、初期設定が、クレジット機能付カードに対しては警告を行うが、クレジット機能なしカードに対しては警告を行わないという設定であることを特徴とする。
また、上記目的を達成するための請求項３記載の発明は、路側または施設に設置された料金決済機器との間で無線通信により料金の収受を行う無線料金決済システムに用いられ、料金決済のための情報が記憶されたカードが挿入される無線料金決済システム用車載器であって、カード情報と警告設定との間の対応関係を記憶する記憶部と、挿入されているカードからカード情報を読み出す読み出し部と、車両の電源ポジションがオフになったときにカードが挿入状態である場合、読み出し部が読み出したカード情報および記憶部に記憶されている対応関係に基づいて定まる警告処理を行なう警告処理部とを備え、記憶部に記憶されている対応関係は、クレジット機能付であるかクレジット機能なしであるかを示すカード種類情報と警告設定との対応関係であることを特徴とする。
【００１５】
このように、本発明では、カード情報と警告設定との対応関係を記憶しており、車両の電源ポジションがＯＦＦになったときにカードが挿入状態である場合は、その対応関係と、実際に挿入されているカードから読み出したカード情報とに基づいて定まる警告処理を行う。よって、カード情報によって異なる警告設定をしておくことで、種々のニーズに対応した警告処理が可能となる。また、警告処理は、記憶部に記憶されている対応関係に基づいて行うので、異なるカードを挿入する毎に操作を行う必要がないことから、手間も少なくなる。
【００１６】
また、請求項１、２記載の発明は、記憶部に記憶されている対応関係を、ユーザが行う対応関係設定操作に基づいて設定する対応関係設定部を備えるので、種々のカードに対して、実際に車載器を利用するユーザのニーズに適合した警告処理を行なうことができる。なお、対応関係の設定には、再設定、すなわち、対応関係の更新も含む。
さらに、請求項１記載の発明では、初期警告設定とは異なる警告設定としたい場合に限り、ユーザは対応関係設定操作を行えばよい。よって、全てのカードに対して対応関係を設定しなくてもよくなるので、より設定の手間を少なくすることができる。
また、上記初期警告設定は、クレジット機能付カードに対しては警告を行うが、クレジット機能なしカードに対しては警告を行わないという設定である。これにより、盗難された場合に被害が大きくなる可能性が高いクレジット機能付カードの抜き取り忘れを防止しつつ、設定の手間や不要な警告も抑制できる。
また、請求項２記載の発明では、初期設定の警告処理とは異なる警告処理を希望する場合に限り、ユーザは対応関係設定操作を行えばよい。よって、全てのカードに対して対応関係を設定しなくてもよくなるので、より設定の手間を少なくすることができる。
また、上記初期設定は、クレジット機能付カードに対しては警告を行うが、クレジット機能なしカードに対しては警告を行わないという設定である。これにより、盗難された場合に被害が大きくなる可能性が高いクレジット機能付カードの抜き取り忘れを防止しつつ、設定の手間や不要な警告も抑制できる。
また、請求項３記載の発明では、記憶部に記憶されている対応関係は、クレジット機能付であるかクレジット機能なしであるかを示すカード種類情報と警告設定との対応関係である。このようにしても、クレジット機能付のカードであれば警告を行うという警告処理が可能となる。
【００１７】
対応関係をユーザ操作に基づいて更新できるようにする場合、次の請求項４、５のようにすることができる。請求項４では、対応関係設定部は、カードの挿入時に読み出し部によって読み出されたカード情報に対する対応関係が記憶部に記憶されていない場合、そのカード情報に対する対応関係を設定することをユーザに求める報知を行い、その後にユーザが行う対応関係設定操作に基づいて、そのカード情報に対する対応関係を設定することを特徴とする。このようにすれば、ユーザは、そのカードに対する警告設定を忘れることが少なくなる。
【００１８】
請求項５では、対応関係設定部は、カード挿入状態においてユーザによって設定開始操作が行われた後に、ユーザによって行われる対応関係設定操作に基づいて対応関係を設定することを特徴とする。このようにすれば、ユーザは、任意の時点で対応関係を設定することができる。なお、任意の時点で対応関係を設定することができる場合においても、前述の請求項３のように、カード挿入時に、対応関係を設定することをユーザに求めてもよい。
【図面の簡単な説明】
【００２７】
【図１】本発明が適用されたＥＴＣ車載器１の全体構成を示すブロック図である。
【図２】記憶部１３に記憶されているカードリストの一例を示す図である。
【図３】カード種類と警告設定との対応関係を示す図である。
【図４】本実施形態のＥＴＣ車載器１の処理例である。
【図５】本実施形態のＥＴＣ車載器１の処理例である。
【図６】本実施形態のＥＴＣ車載器１の処理例である。
【図７】本実施形態のＥＴＣ車載器１の処理例である。
【図８】警告設定ＯＮ用のリストの一例である。
【発明を実施するための形態】
【００２８】
以下、本発明の実施形態を図面に基づいて説明する。この実施形態は、無線料金決済システムのうちのＥＴＣシステムに関するものであり、図１は、本発明が適用されたＥＴＣ車載器１の全体構成を示すブロック図である。図１に示すように、ＥＴＣ車載器１は、無線部１０、音声出力部１１、外部機器接続部１２、記憶部１３、表示部１４、入力操作部１５、ＩＣカードコネクタ１６、ＩＣカード制御部１７、全体制御部１８、電源部１９などを備えて構成されている。
【００２９】
無線部１０は、例えば周知のＤＳＲＣ技術を用いた無線通信部（図示せず）およびアンテナ１０a含み、このアンテナ１０aを介して路側に設置された路側アンテナ（図示せず）と料金収受のための無線通信を行う。
【００３０】
音声出力部１１は、全体制御部１８からの指示に基づいて、カード抜き忘れに関する警告音声などをスピーカから音声出力する。
【００３１】
外部機器接続部１２は、例えば車内ＬＡＮ（Local AreaNetwork）の通信インターフェース回路を含み、ナビゲーションシステムなどの外部機器とのデータの遣り取りを行う。
【００３２】
記憶部１３は、ＥＥＰＲＯＭやフラッシュメモリ等の不揮発性メモリからなり、ＥＴＣの利用履歴情報、やカード識別・認証情報等のＥＴＣ利用に必要な情報が記憶される。また、この記憶部１３には、挿入されたことのあるカードのリスト（カードリスト）も記憶されている。このカードリストは、挿入されたことのあるカードに対して、そのカード情報と警告設定とが対応づけられたものであり、このカードリストが請求項の対応関係に相当する。
【００３３】
表示部１４は、図示しないＬＥＤやＬＣＤ等の表示器であり、全体制御部１８から入力される信号に応じた表示（点灯や画像表示）を行う。入力操作部１５は、ユーザーによって操作されるスイッチなどであり、例えば、上記カードリストの設定操作など、各種の情報を入力する際に用いられる。
【００３４】
ＩＣカードコネクタ１６は、ＥＴＣ車載器１からＩＣカード２への電源供給や、ＥＴＣ車載器１とＩＣカード２との間のデータ交換のためのもので、ＩＣカード２の表面に形成された複数の接触面と接触する複数の接点を有する。
【００３５】
ＩＣカード制御部１７は、ＩＣカードコネクタ１６にＩＣカード２が正常に装着されている状態で、そのＩＣカード２との間で通信を行う。また、ＩＣカード制御部１７は、セキュリティー機能を有しており、ＩＣカード２に記憶されている各種の情報を直接読み取られないように暗号化処理などを行う。電源部１９は、例えば、ＡＣＣオンの状態で車両のバッテリーから電源供給がなされ、動作用の電源を各構成部に供給する。
【００３６】
全体制御部１８は、マイクロコンピュータを主体として構成されており、マイクロコンピュータが制御プログラムを実行することにより、ＥＴＣ車載器１の料金決済処理等の動作全般を制御する。
【００３７】
この全体制御部１８が行う処理として、料金決済処理以外に、上記ＩＣカード２からカード情報を読み出す読み出し部としての処理、車両の電源ポジションがＯＦＦになったときに行う警告処理部としての処理、記憶部２１に記憶されているカードリストの設定処理（更新処理含む）がある。よって、全体制御部１８は、特許請求の範囲の読み出し部、警告処理部、対応関係設定部としても機能する。これらの処理の詳細は後述する。
【００３８】
ＩＣカード２は、ＩＣチップ（図示せず）が埋め込まれた例えばクレジットカードサイズのカードによって構成されており、ＩＣチップには、ＩＣカード制御部１７とＥＴＣ処理に関する各種制御を行い、必要に応じて記憶部２１への各種データの書き込み、記憶部２１からの各種データの読み出しを行う制御部２０ 、およびＩＣカード２のカード情報として、所有者を特定する情報やＩＣカード識別符号、カード種類情報（ＥＴＣ専用カードであるかクレジット機能付であるかを示す情報）、ＥＴＣの利用履歴情報等が記憶される記憶部２１が内蔵されている。
【００３９】
次に、全体制御部１８の読み出し部、警告処理部、対応関係設定部としての処理を説明する。まず、読み出し部としての処理を説明する。全体制御部１８は、ＩＣカード制御部１７を介して、ＩＣカードコネクタ１６に装着されているＩＣカード２からＩＣカード識別符号、カード種類情報等、ＩＣチップに記憶されているカード情報を読み出す。読み出すタイミングは、たとえばＩＣカード２が挿入された時であり、ＩＣカード２が挿入されたことは、ＩＣカードコネクタ１６の接点がＩＣカード２の接触面と接触したことで検知する。
【００４０】
次に、警告処理部としての処理を説明する。警告処理部は、ＩＣカード２の抜き忘れに関する警告を、音声出力部１１、表示部１４のいずれか一方または両方から出力する処理である。
【００４１】
この警告を行う時期は、車両の電源ポジションがＯＦＦになったときである。ただし、電源ポジションがＯＦＦになったときでも、ＩＣカード２が抜き取られていれば、当然、警告は行わない。また、挿入されているＩＣカード２が警告ＯＦＦ設定になっている場合も警告は行わない。なお、電源ポジションがＯＦＦになったときとは、キーをキーシリンダに挿入し、そのキーを回転させることでキースイッチの状態が切り替えられるタイプの車両においては、キースイッチ（イグニッションスイッチ）の位置がＯＦＦ位置になったことを判断したときである。また、キーをキーシリンダに挿入することなく、ボタン押下により、電源状態が切り替えられるタイプの車両においては、そのボタンによりＯＦＦ操作が行われたと判断したときである。
【００４２】
挿入されているＩＣカード２が警告ＯＦＦ設定になっているか否かの判定は、記憶部１３に記憶されているカードリストから、実際に挿入されているＩＣカード２から読み出したカード情報に対応する設定を参照することで行う。
【００４３】
図２に、上記カードリストの一例を示す。図２に示すカードリストには、ＩＣカード識別符号を意味するカードＩＤ、カード種類、警告設定の関係が定められている。この図２に例示するようなカードリストから、実際に挿入されているＩＣカード２から読み出したカード情報に対応する警告設定を参照することで、挿入されているＩＣカード２が警告ＯＦＦ設定になっているか否かを判定する。ただし、実際に挿入されているＩＣカード２から読み出したカード情報に対応する警告設定がされていない場合、予め定められた初期設定の警告処理を行なう。
【００４４】
この初期設定は、たとえば、カード種類によらず警告を行わないという設定でもよいし、また、カード種類がクレジット機能付の場合には警告を行うという設定でもよい。
【００４５】
なお、図２において、カードＩＤ、カード種類は、いずれもカード情報であるので、図２のカードリストは、カードＩＤと警告設定との対応関係を示しているとともに、カード種類と警告設定との対応関係も示している。対応関係は、この図２の例に限られず、図３に示すように、カード種類と警告設定との対応関係のみを記憶していてもよいし、また、図示していないが、カードＩＤと警告設定との対応関係のみを記憶していてもよい。
【００４６】
次に、対応関係設定部としての処理を説明する。対応関係設定部としての処理は、ユーザが行う対応関係設定操作に基づいて、図２に例示したようなカードリスト（対応関係）の設定を行う処理である。
【００４７】
この処理の実行時は、カード挿入時およびユーザによって設定開始操作が行われた時の一方または両方である。カード挿入時には、ＩＣカード２の情報を読み出し、読み出したカード情報に対応する警告設定の有無を判断する。そして、カード情報に対する警告設定がされていない場合、そのカード情報に対する警告設定を求める報知を行う。そして、その後にユーザが行う対応関係設定操作に基づいて、そのカード情報に対する警告設定を行う。
【００４８】
なお、図２のカードリストには、カードＩＤ、カード種類の２つのカード情報が存在するが、いずれのカード情報に対しても警告設定がされていない場合に、カード情報に対する警告設定を求める報知を行ってもよく、また、いずれか一方のカード情報に対して警告設定がされていない場合に、警告設定を求める報知を行ってもよい。
【００４９】
上記報知は、たとえば、「このカード（カードＩＤ）の抜き忘れ警告をＯＮにしますか」といった、ユーザにＹＥＳかＮＯの回答を求める報知である。こうすると、ユーザはそのカードに対する警告設定を容易に行なうことができる。
【００５０】
ユーザによって設定開始操作が行われたときも、カード挿入時と同様、「このカード（カードＩＤ）の抜き忘れ警告をＯＮにしますか」といった、ユーザにＹＥＳかＮＯの回答を求める報知を行う。そして、その後、ユーザがＹＥＳまたはＮＯに対応する入力を入力操作部１５から行うことで、カードに対する警告設定が行われる。
【００５１】
なお、カード挿入時かユーザによって設定開始操作がされた時かによらず、カードＩＤに対する警告設定を行うか、カード種類に対する警告設定を行うかの切り替えができるようになっていることが好ましい。たとえば、最初の報知は、カードＩＤに対する抜き忘れ警告をＯＮ（またはＯＦＦ）にするか否かの報知とする。そして、所定の切り替え操作がユーザによって行われた場合は、挿入されているＩＣカード２のカード種類に対する抜き忘れ警告をＯＮ（またはＯＦＦ）にするか否かの報知とすればよい。また、ＩＣカードの種類は、専用カードとクレジット機能付カードの２種類であることから、警告設定は、（１）専用カード、クレジット機能付カードともに警告オンとする設定、（２）専用カードは警告オフ、クレジット機能付カードは警告オン、（３）いずれも警告オフの３態様のみである。そこで、挿入されているカードによらず、所定の１つまたは複数のキーを短押しまたは長押しする毎に、上記（１）〜（３）の設定が順に切り替えられるようにしてもよい。
【００５２】
次に、本実施形態のＥＴＣ車載器１の処理例を図４〜図７を用いて説明する。これら図４〜図７の例は、いずれも、カードリストに、挿入されたことのある全てのカードのカードＩＤが含まれており、カードＩＤ別に警告設定が定められている例である。
【００５３】
まず、図４を説明する。図４の例は、挿入されたカードのカードＩＤがカードリストにない場合に、そのカードＩＤに対する警告設定をユーザに求めるようになっている場合の例である。
【００５４】
図４のステップＳ１０はユーザの操作ステップであり、ユーザはエンジンＯＮ操作を行う。次のステップＳ１１もユーザの操作ステップである。ユーザは、ＥＴＣ専用カードを挿入する。
【００５５】
次のステップＳ１２はＥＴＣ車載器１の処理ステップである。このステップでは、挿入されたカードからカード情報を読み出し、読み出したカード情報とカードカードリストとを参照して、ステップＳ１１で挿入されたカードが、今までに挿入されたことのない新しいカードかどうかを判定する。この例は、新しいカードであると判定した場合を示しており、「新しいカードが挿入されました。このカードの抜き忘れ警告をＯＮにしますか？」という通知を行っている。
【００５６】
次のステップＳ１３はユーザの操作ステップであり、ユーザは、所定のＮＯボタンを押下している。これにより、ＥＴＣ車載器１は、このカードＩＤに対する警告設定をＯＦＦに設定する。
【００５７】
次のステップＳ１４もユーザの操作ステップであり、ユーザは、エンジンＯＦＦ操作を行っている。また、この時点において、Ｓ１１で挿入されたカードは、まだ抜き取られていない。
【００５８】
次のステップＳ１５はＥＴＣ車載器１の処理ステップである。エンジンＯＦＦ時にカードが抜き取られていないのであるが、抜き忘れ警告がＯＦＦに設定されているので、ＥＴＣ車載器１は警告を行わない。
【００５９】
次に、図５を説明する。図５の例も図４と同様に、挿入されたカードのカードＩＤがカードリストにない場合に、そのカードＩＤに対する警告設定をユーザに求めるようになっている場合の例である。ただし、図４と図５では、ユーザの操作内容が異なり、その結果、ＥＴＣ車載器１の処理も異なっている。
【００６０】
図５において、ステップＳ２０はユーザの操作ステップであり、ユーザはエンジンＯＮ操作を行う。次のステップＳ２１もユーザの操作ステップである。ユーザは、ＥＴＣ専用カードを抜き取り、代わりに、クレジット機能付カードを挿入する。
【００６１】
次のステップＳ２２はＥＴＣ車載器１の処理ステップである。このステップでは、図４のステップＳ１２と同様にして、挿入されたカードが、今までに挿入されたことのない新しいカードかどうかを判定する。図５の例も図４と同様、新しいカードであると判定した場合を示しており、「新しいカードが挿入されました。このカードの抜き忘れ警告をＯＮにしますか？」という通知を行っている。
【００６２】
次のステップＳ２３はユーザの操作ステップであり、ユーザは、所定のＹＥＳボタンを押下している。これにより、ＥＴＣ車載器１は、このカードＩＤに対する警告設定をＯＮに設定する。
【００６３】
次のステップＳ２４もユーザの操作ステップであり、ユーザは、エンジンＯＦＦ操作を行っている。また、この時点において、Ｓ２１で挿入されたカードは、まだ抜き取られていない。
【００６４】
次のステップＳ２５はＥＴＣ車載器１の処理ステップである。エンジンＯＦＦ時にカードが抜き取られておらず、且つ、このカードに対する抜き忘れ警告がＯＮに設定されている。そのため、ＥＴＣ車載器１は、「カードが残っています。」という警告通知を行う。
【００６５】
ステップＳ２６はユーザの操作ステップであり、ステップＳ２５の警告通知によりユーザはカードが残っていることに気づき、このステップＳ２６において、カードを抜き取る。
【００６６】
図４、図５の比較から分かるように、ＥＴＣ車載器１は、ＥＴＣ専用カードに対しては警告を行わない一方で、クレジット機能付カードに対しては警告を行うことができる。よって、ＥＴＣ専用カードは挿入したままにしたいが、クレジット機能付カードについては警告をして欲しいというユーザのニーズに対応することができる。
【００６７】
次に、図６を説明する。図６の例は、挿入されたカードのカードＩＤがカードリストにない場合に、そのカードＩＤに対する警告設定を自動的に初期警告設定（ここでは警告オンにする設定）にする例である。
【００６８】
図６のステップＳ３０はユーザの操作ステップであり、ユーザはエンジンＯＮ操作を行う。次のステップＳ３１もユーザの操作ステップである。ユーザは、自分が所有するＥＴＣ専用カードを挿入する。
【００６９】
次のステップＳ３２はＥＴＣ車載器１の処理ステップである。このステップでは、図４，５のステップＳ１２、２２と同様にして、挿入されたカードが、今までに挿入されたことのない新しいカードかどうかを判定する。この図６の例も図４、図５と同様、新しいカードであると判定した場合を示している。ただし、図４、図５とは異なり、このステップＳ３２では、自動的に抜き忘れ警告をＯＮに設定する。
【００７０】
次のステップＳ３３はユーザの操作ステップである。ステップＳ３３では、ユーザは、挿入中のカードに対する抜き忘れ警告をＯＦＦに変更する操作を行う。これにより、カードリストのうち、挿入中のカードのカードＩＤに対する警告設定が変更される。
【００７１】
次のステップＳ３４もユーザの操作ステップであり、ユーザは、エンジンＯＦＦ操作を行っている。また、この時点において、Ｓ３１で挿入されたカードは、まだ抜き取られていない。
【００７２】
次のステップＳ３５はＥＴＣ車載器１の処理ステップである。エンジンＯＦＦ時にカードが抜き取られていないのであるが、抜き忘れ警告がＯＦＦに設定されているので、ＥＴＣ車載器１は警告を行わない。
【００７３】
次に、図７を説明する。図７の例も図６と同様に、挿入されたカードのカードＩＤがカードリストにない場合に、そのカードＩＤに対する警告設定を自動的に初期警告設定（ここでは警告オンにする設定）にする例である。
【００７４】
図６のステップＳ４０はユーザの操作ステップであり、ユーザはエンジンＯＮ操作を行う。次のステップＳ４１もユーザの操作ステップである。ユーザは、自分が所有するＥＴＣ専用カードを抜き取り、代わりに、他人から借りたＥＴＣカードを挿入する。
【００７５】
次のステップＳ４２はＥＴＣ車載器１の処理ステップである。このステップでは、図６と同様にして、挿入されたカードが、今までに挿入されたことのない新しいカードかどうかを判定する。この図７の例も図６と同様、新しいカードであると判定した場合を示している。よって、このステップＳ４２では、自動的に抜き忘れ警告をＯＮに設定する。
【００７６】
次のステップＳ４３はユーザの操作ステップであり、ユーザはＥＴＣカードを利用する。具体的には、ユーザの運転操作により有料道路の料金所を通過する。これにより、ＥＴＣ車載器１はＥＴＣカードからカード情報を読み出して、料金所側機器に通行料金決済に必要な情報を送信する。
【００７７】
次のステップＳ４４もユーザの操作ステップであり、ユーザは、エンジンＯＦＦ操作を行っている。また、この時点において、Ｓ４１で挿入されたカードは、まだ抜き取られていない。
【００７８】
次のステップＳ４５はＥＴＣ車載器１の処理ステップである。エンジンＯＦＦ時にカードが抜き取られておらず、且つ、このカードに対する抜き忘れ警告がＯＮに設定されている。そのため、ＥＴＣ車載器１は、「カードが残っています。」という警告通知を行う。
【００７９】
ステップＳ４６はユーザの操作ステップであり、ステップＳ４５の警告通知によりユーザはカードが残っていることに気づき、このステップＳ２６において、カードを抜き取る。
【００８０】
図６、図７の比較から分かるように、ＥＴＣ車載器１は、自分のＥＴＣカードに対しては警告を行わない一方で、他人から借りたカードに対しては警告を行うことができる。よって、自分のカードは挿入したままにしたいが、他人から借りたカードについては警告をして欲しいというユーザのニーズに対応することができる。
【００８１】
以上、説明したように、本実施形態のＥＴＣ車載器１は、カード情報と警告設定との対応関係を定めたカードリストを記憶している。そして、車両の電源ポジションがＯＦＦになったときにＩＣカード２が挿入状態である場合は、その対応関係と、実際に挿入されているＩＣカード２から読み出したカード情報とに基づいて定まる警告処理を行う。よって、カード情報によって異なる警告設定をしておくことで、種々のニーズに対応した警告処理が可能となる。また、警告処理は、記憶部１３に記憶されているカードリストに基づいて行うので、異なるカードを挿入する毎に操作を行う必要がないことから、手間も少なくなる。
【００８２】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００８３】
たとえば、前述の実施形態では、本発明をＥＴＣシステム用車載器に適用していたが、本発明は、ＥＴＣシステム以外の無線料金決済システム（たとえば、駐車場やガソリンスタンドなどにおける無線料金決済システム）に用いる車載器や、ＥＴＣシステムとそれ以外の無線料金決済システムの両方に用いることができる車載器に適用することもできる。この場合においても、図２、３に示すような対応関係を予め記憶しておき、電源ポジションがオフとなったときにカードが挿入状態である場合には、挿入されているカードのカード情報と予め記憶している対応関係とに基づいて定まる警告処理を行なえばよい。
【００８４】
また、前述の実施形態では、カードリストにてカードＩＤと警告設定との対応関係が設定されているのは、挿入されたことがあるカードに限られていた。しかし、この態様に限られず、たとえば、カードＩＤを入力できるようにするなどして、挿入されたことがないカードについてカードＩＤと警告設定との対応関係が設定できるようになっていてもよい。
【００８５】
また、図２のカードリストは、警告設定として２種類の内容、すなわち、オンまたはオフが存在したが、この図２のリストに代えて、警告設定ＯＦＦ用のリストや警告設定ＯＮ用のリストを用いてもよい。図８は、警告設定ＯＮ用のリストの一例であり、このようなリストを用いる場合には、カードＩＤがリストにないカードについては警告設定がＯＦＦであるとして警告処理を行なう。
【符号の説明】
【００８６】
１：ＥＴＣ車載器（自動料金収受システム用車載器）、      ２：ＩＣカード、      １０：無線部、      １０ａ：アンテナ、      １１：音声出力部、      １２：外部機器接続部、      １３：記憶部、      １４：表示部、      １５：入力操作部、      １６：ＩＣカードコネクタ、      １７：ＩＣカード制御部、      １８：全体制御部（読み出し部、警告処理部、対応関係設定部）、      １９：電源部、      ２０：制御部、      ２１：記憶部
【図１】
0005447064.tif 000002
【図２】
0005447064.tif 000003
【図３】
0005447064.tif 000004
【図４】
0005447064.tif 000005
【図５】
0005447064.tif 000006
【図６】
0005447064.tif 000007
【図７】
0005447064.tif 000008
【図８】
0005447064.tif 000009